(57)【要約】【課題】各々矩形状の横断面を有する複数の導体線を安定して接着する。【解決手段】各々、矩形状の横断面を有する複数の導体線が接着層を介して互いに接着されて一体化した集合導体１０を連続して製造する集合導体製造装置３０であって、溶剤６に可溶な接着層が少なくとも側面にそれぞれ形成された複数の導体線を同一平面上に無撚り状態で互いに平行に延びるように密に整列させた集合線５の底面に溶剤６を塗布する溶剤塗布装置２１を備えている。【選択図】図２
2010192297.tif 000002
【特許請求の範囲】
【請求項１】
各々、矩形状の横断面を有する複数の導体線が接着層を介して互いに接着されて一体化した集合導体を連続して製造する装置であって、
溶剤に可溶な接着層が少なくとも側面にそれぞれ形成された上記複数の導体線を同一平面上に無撚り状態で互いに平行に延びるように密に整列させた集合線の底面に上記溶剤を塗布する溶剤塗布装置を備えていることを特徴とする集合導体の製造装置。
【請求項２】
請求項１に記載された集合導体の製造装置において、
上記溶剤塗布装置は、上記溶剤を循環させるための循環系を備えていることを特徴とする集合導体の製造装置。
【請求項３】
請求項１又は２に記載された集合導体の製造装置において、
上記溶剤塗布装置は、上記集合線の進行方向に対して逆方向に回転すると共に、該集合線の底面に周壁が上記溶剤を介して当接するように構成された塗布ロールを備えていることを特徴とする集合導体の製造装置。
【請求項４】
請求項１又は２に記載された集合導体の製造装置において、
上記集合線の進行方向に沿った上記溶剤塗布装置の前側に、上記集合線を整列状態に矯正するための矯正装置を備えていることを特徴とする集合導体の製造装置。
【請求項５】
請求項１又は２に記載された集合導体の製造装置において、
上記集合線の進行方向に沿った上記溶剤塗布装置の後側に、上記集合線を整列状態に矯正するための矯正装置を備えていることを特徴とする集合導体の製造装置。
【請求項６】
請求項３に記載された集合導体の製造装置において、
上記溶剤塗布装置は、上記塗布ロールの回転速度を変更可能に設けられていることを特徴とする集合導体の製造装置。
【請求項７】
請求項３に記載された集合導体の製造装置において、
上記溶剤塗布装置は、上記塗布ロールに付着した接着剤を除去するためのスクレーパを備えていることを特徴とする集合導体の製造装置。
【請求項８】
各々、矩形状の横断面を有する複数の導体線が接着層を介して互いに接着されて一体化した集合導体を連続して製造する方法であって、
溶剤に可溶な接着層が少なくとも側面にそれぞれ形成された上記複数の導体線を同一平面上に無撚り状態で互いに平行に延びるように密に整列させて集合線を形成する集合線形成工程と、
上記集合線形成工程で形成された集合線の底面に溶剤を塗布する溶剤塗布工程とを備えることを特徴とする集合導体の製造方法。
【請求項９】
請求項８に記載された集合導体の製造方法において、
上記溶剤塗布工程では、上記集合線の進行方向に対して逆方向に回転するように構成された塗布ロールの周壁に該集合線の底面を上記溶剤を介して当接させることを特徴とする集合導体の製造方法。
【請求項１０】
請求項８に記載された集合導体の製造方法において、
上記各導体線は、矩形状の横断面を有する導体素線と、該導体素線を覆うように電着塗装により形成された絶縁層と、該絶縁層を覆うようにディップ塗装により形成された接着層とを備えている、又は矩形状の横断面を有する導体素線と、該導体素線を覆うようにディップ塗装により形成された接着層とを備えていることを特徴とする集合導体の製造方法。
【請求項１１】
請求項８に記載された集合導体の製造方法において、
上記溶剤は、揮発性を有するアルコールであることを特徴とする集合導体の製造方法。
【発明の詳細な説明】
【技術分野】
【０００１】
本発明は、集合導体の製造装置及び製造方法に関し、特に、各々矩形状の横断面を有する複数の導体線が束ねられて一体に構成された集合導体の製造装置及び製造方法に関するものである。
【背景技術】
【０００２】
集合導体は、複数の導体線が束ねられて一体に構成され、電磁機械器具のコイルに用いられるマグネットワイヤとして広く利用されている。
【０００３】
例えば、特許文献１には、複数本の自己融着性平角エナメル線を集合、転位、撚合わせて得られる撚線の外周に絶縁テープを螺旋巻きしてなる自己融着性転位電線において、自己融着性平角エナメル線が自己潤滑・自己融着性平角エナメル線であるものが開示されている。そして、これによれば、転位電線の製造作業及びコイル巻線作業時には素線同志が優れた相互滑り性を発揮し、しかもコイルの熱融着時には素線相互が強固に熱融着できる、と記載されている。
【特許文献１】特開平１１−２０３９４８号公報
【発明の開示】
【発明が解決しようとする課題】
【０００４】
ところで、集合導体では、その横断面における導体線の面積が占める割合、すなわち、導体占積率を向上させるために、円形の横断面を有する丸線よりもデッドスペースが形成され難い矩形状の横断面を有する平角線を無撚り状態で複数整列させることが提案されている。
【０００５】
しかしながら、各導体線の横断面が矩形状であるので、各導体線がねじれ易く、また、複数の長尺の導体線を同時に平行に接着するので、集合導体がばらけ易いなどという問題があった。そのため、集合導体を製造するために、各々矩形状の横断面を有する複数の導体線を安定して接着することが困難であった。
【０００６】
本発明は、かかる点に鑑みてなされたものであり、その目的とするところは、各々矩形状の横断面を有する複数の導体線を安定して接着することにある。
【課題を解決するための手段】
【０００７】
上記目的を達成するために、本発明は、各々矩形状の横断面を有し少なくとも側面に溶剤に可溶な接着層がそれぞれ形成された複数の導体線を同一平面上に無撚り状態で互いに平行に延びるように密に整列させた集合線の底面に溶剤を塗布するようにしたものである。
【０００８】
具体的に本発明に係る集合導体の製造装置は、各々、矩形状の横断面を有する複数の導体線が接着層を介して互いに接着されて一体化した集合導体を連続して製造する装置であって、溶剤に可溶な接着層が少なくとも側面にそれぞれ形成された上記複数の導体線を同一平面上に無撚り状態で互いに平行に延びるように密に整列させた集合線の底面に上記溶剤を塗布する溶剤塗布装置を備えていることを特徴とする。
【０００９】
上記の構成によれば、集合線を構成する各導体線が矩形状の横断面を有し、各導体線の少なくとも側面に溶剤に可溶な接着層が形成されている。そして、それらの複数の導体線を同一平面上に無撚り状態で互いに平行に密に整列させた集合線の底面に対して溶剤が溶剤塗布装置によって塗布されるので、隣り合う導体線同士の隙間に溶剤が毛細管現象により供給される。そのため、各導体線の側面のうち、隣り合う導体線に当接する側面において、接着層の表面が溶解して、粘着性を有するようになるので、集合線を構成する各導体線の接着層が連結して、さらに、例えば、風乾や加熱によって溶剤を蒸発させることにより、隣り合う導体線同士が互いに接着される。これにより、複数の導体線を整列させた集合線の底面に溶剤を塗布するだけで、隣り合う導体線同士が同時に互いに接着されるので、各々矩形状の横断面を有する複数の導体線を安定して接着することが可能になる。
【００１０】
上記溶剤塗布装置は、上記溶剤を循環させるための循環系を備えていてもよい。
【００１１】
上記の構成によれば、溶剤塗布装置が溶剤を循環させるための循環系を備えているので、集合線の底面に塗布する溶剤の状態を安定化させることが可能になる。
【００１２】
上記溶剤塗布装置は、上記集合線の進行方向に対して逆方向に回転すると共に、該集合線の底面に周壁が上記溶剤を介して当接するように構成された塗布ロールを備えていてもよい。
【００１３】
上記の構成によれば、溶剤塗布装置が集合線の進行方向に対して逆方向に回転すると共に、集合線の底面に周壁が溶剤を介して当接する塗布ロールを備えているので、塗布ロールの周壁に供給された溶剤が塗布ロールの周壁と集合線の底面との間の領域に適度に溜まることになる。これにより、進行する集合線の底面に溶剤が安定して供給されるので、各導体線の側面のうち、隣り合う導体線に当接する側面において、接着層の表面が、安定して粘着性を有することになり、複数の導体線が具体的に安定して接着される。また、集合線の送り速度が高速（例えば、５０ｍ／ｍｉｎ以上）になっても、溶剤が飛び散り難いので、装置の小型化が可能になるだけでなく、より高速（例えば、２００ｍ／ｍｉｎ以上）での製造も可能になる。これに対して、集合線の進行方向に対して順方向に回転する塗布ロールでは、溶剤が飛び散り易いので、高速での製造が困難である。さらに、塗布ロールが集合線の進行方向に対して逆方向に回転するので、集合線の側面を摩耗させるおそれがあるものの、溶剤が潤滑剤として働くので、製造時における集合線の側面の摩耗も抑制される。
【００１４】
上記集合線の進行方向に沿った上記溶剤塗布装置の前側に、上記集合線を整列状態に矯正するための矯正装置を備えていてもよい。
【００１５】
上記の構成によれば、溶剤塗布装置の上流側に、集合線を整列状態に矯正するための矯正装置を備えているので、溶剤塗布装置に搬入する集合線のばらけやねじれを抑制することが可能になる。
【００１６】
上記集合線の進行方向に沿った上記溶剤塗布装置の後側に、上記集合線を整列状態に矯正するための矯正装置を備えていてもよい。
【００１７】
上記の構成によれば、溶剤塗布装置の下流側に、集合線を整列状態に矯正するための矯正装置を備えているので、溶剤塗布装置から搬出された集合線（集合導体）のばらけやねじれを抑制することが可能になる。
【００１８】
上記溶剤塗布装置は、上記塗布ロールの回転速度を変更可能に設けられていてもよい。
【００１９】
上記の構成によれば、塗布ロールの回転速度が変更可能であるので、集合線の進行速度に合わせて、塗布ロールの回転速度を変更することにより、集合線の底面に適正な量の溶剤を供給することが可能になる。
【００２０】
上記溶剤塗布装置は、上記塗布ロールに付着した接着剤を除去するためのスクレーパを備えていてもよい。
【００２１】
上記の構成によれば、溶剤塗布装置が塗布ロールに付着した接着剤を除去するためのスクレーパを備えているので、塗布ロールの周壁の状態を良好に保つことが可能になる。
【００２２】
また、本発明に係る集合導体の製造方法は、各々、矩形状の横断面を有する複数の導体線が接着層を介して互いに接着されて一体化した集合導体を連続して製造する方法であって、溶剤に可溶な接着層が少なくとも側面にそれぞれ形成された上記複数の導体線を同一平面上に無撚り状態で互いに平行に延びるように密に整列させて集合線を形成する集合線形成工程と、上記集合線形成工程で形成された集合線の底面に溶剤を塗布する溶剤塗布工程とを備えることを特徴とする。
【００２３】
上記の方法によれば、集合線を構成する各導体線が矩形状の横断面を有し、各導体線の少なくとも側面に溶剤に可溶な接着層が形成されている。そして、集合線形成工程において、それらの複数の導体線を同一平面上に無撚り状態で互いに平行に密に整列させた集合線を形成した後に、溶剤塗布工程において、集合線の底面に対して溶剤が塗布されるので、隣り合う導体線同士の隙間に溶剤が毛細管現象により供給される。そのため、各導体線の側面のうち、隣り合う導体線に当接する側面において、接着層の表面が溶解して、粘着性を有するようになるので、集合線を構成する各導体線の接着層が連結して、さらに、例えば、風乾や加熱によって溶剤を蒸発させることにより、隣り合う導体線同士が互いに接着される。これにより、複数の導体線を整列させた集合線の底面に溶剤を塗布するだけで、隣り合う導体線同士が同時に互いに接着されるので、各々矩形状の横断面を有する複数の導体線を安定して接着することが可能になる。
【００２４】
上記溶剤塗布工程では、上記集合線の進行方向に対して逆方向に回転するように構成された塗布ロールの周壁に該集合線の底面を上記溶剤を介して当接させてもよい。
【００２５】
上記の方法によれば、溶剤塗布工程では、集合線の進行方向に対して逆方向に回転する塗布ロールの周壁に集合線の底面を溶剤を介して当接させるので、塗布ロールの周壁に供給された溶剤が塗布ロールの周壁と集合線の底面との間の領域に適度に溜まることになる。これにより、進行する集合線の底面に溶剤が安定して供給されるので、各導体線の側面のうち、隣り合う導体線に当接する側面において、接着層の表面が、安定して粘着性を有することになり、複数の導体線が具体的に安定して接着される。また、集合線の送り速度が高速（例えば、５０ｍ／ｍｉｎ以上）になっても、溶剤が飛び散り難いので、装置の小型化が可能になるだけでなく、より高速（例えば、２００ｍ／ｍｉｎ以上）での製造も可能になる。これに対して、集合線の進行方向に対して順方向に回転する塗布ロールでは、溶剤が飛び散り易いので、高速での製造が困難である。さらに、塗布ロールが集合線の進行方向に対して逆方向に回転するので、集合線の側面を摩耗させるおそれがあるものの、溶剤が潤滑剤として働くので、製造時における集合線の側面の摩耗も抑制される。
【００２６】
上記各導体線は、矩形状の横断面を有する導体素線と、該導体素線を覆うように電着塗装により形成された絶縁層と、該絶縁層を覆うようにディップ塗装により形成された接着層とを備えている、又は矩形状の横断面を有する導体素線と、該導体素線を覆うようにディップ塗装により形成された接着層とを備えていてもよい。
【００２７】
上記の方法によれば、各導体線が導体素線、絶縁層及び接着層を備えている場合には、導体素線と接着層との間に絶縁層が介在するので、集合導体を構成する各導体線の間の絶縁性が保持される。しかも、絶縁層が電着塗装により形成されているので、電着塗装する際の印加電圧を調整するだけで、絶縁層を、例えば、０．５μｍ〜１．５μｍ程度に薄く均一に形成することが可能になり、絶縁層の形成による集合導体における導体占積率の低下が抑制される。また、各導体線が導体素線及び接着層を備えている場合には、導体素線と接着層との間に介在するものがないので、集合導体における導体占積率を向上させることが可能になる。
【００２８】
上記溶剤は、揮発性を有するアルコールであってもよい。
【００２９】
上記の方法によれば、溶剤が揮発性を有するアルコールであるので、集合線に塗布した溶剤を容易に蒸発させることが可能になる。
【発明の効果】
【００３０】
本発明によれば、各々矩形状の横断面を有し少なくとも側面に溶剤に可溶な接着層がそれぞれ形成された複数の導体線を同一平面上に無撚り状態で互いに平行に延びるように密に整列させた集合線の底面に溶剤を塗布するので、各々矩形状の横断面を有する複数の導体線を安定して接着することができる。
【発明を実施するための最良の形態】
【００３１】
以下、本発明の実施形態を図面に基づいて詳細に説明する。なお、本発明は、以下の実施形態に限定されるものではない。
【００３２】
図１〜図８は、本発明に係る集合導体の製造装置及び製造方法の１つの実施形態を示している。具体的に、図１は、本実施形態の集合導体１０の横断面図である。
【００３３】
集合導体１０は、図１に示すように、互いに平行に延びるように整列させた複数の導体線４を備えている。そして、集合導体１０では、図１に示すように、隣り合う導体線４同士が互いに接着されることにより、複数の導体線４が一体化されている。
【００３４】
導体線４は、図１に示すように、矩形状の横断面を有する導体素線１と、導体素線１を覆うように設けられた絶縁層２と、絶縁層２を覆うように設けられた接着層３とを備えている。
【００３５】
導体素線１は、例えば、銅、アルミニウム、銀、鉄、金、又は、それらの合金などの導電性を有する材料により線状に構成されている。
【００３６】
ここで、導体素線１及び導体線４における矩形状の横断面とは、角部がＲ形状である略長方形の横断面（図１参照）の他に、角部がＲ形状である略正方形の横断面、角部が直角である長方形の横断面、及び角部が直角である正方形の横断面などを含んでいる。
【００３７】
また、導体素線１及び導体線４の横断面形状は、その長さ方向に沿って全て同じでなくてもよく、例えば、長方形の横断面を有するものと正方形の横断面を有するものとを組み合わせて構成するなどして、その横断面において全て同じでなくてもよい。
【００３８】
また、導体素線１において、長辺の長さを短辺の長さの１倍〜１．５倍（好ましくは１倍〜１．２倍）とすることにより、ｍ行×ｎ列（ｍ及びｎは自然数）に整列させたとき、導体占積率が向上し大表面積の絶縁導体が得られるので、ハイブリッド車などの電気自動車に用いられるモーターの小型化及び軽量化を実現させることができる。具体的に、導体素線１のサイズは、例えば、一辺が０．０５ｍｍ〜２ｍｍ（好ましくは０．０５ｍｍ〜１ｍｍ）であり、０．０３ｍｍφ〜２．０ｍｍφの丸線に対応するサイズであればよく、横断面積としては、０．０００７ｍｍ2〜４ｍｍ2となる。
【００３９】
絶縁層２は、例えば、電着塗装を用いて、アクリル樹脂などにより形成されている。また、絶縁層２の厚さは、５μｍ〜５０μｍ程度（好ましくは、２０μｍ〜３０μｍ）であり、ＡＣ（alternating current）１ｋＶ以上（好ましくはＡＣ２ｋＶ以上）の絶縁性を有していることが好ましい。
【００４０】
接着層３は、例えば、ディップ塗装を用いて、アルコールなどの溶剤に可溶なポリアミド樹脂などにより構成されている。また、接着層３の厚さは、０．５μｍ〜５μｍ程度（好ましくは、１μｍ〜３μｍ）である。
【００４１】
上記構成の集合導体１０は、モーターを構成するステータコアに形成された各スロット溝の内部において、例えば、複数段を重ねて配置されるものである。
【００４２】
次に、上記構成の集合導体１０の製造方法について説明する。ここで、図２は、集合導体１０を製造するための集合導体製造装置３０の側面図であり、図３、図４及び図５は、図２中のIII-III線、IV-IV線及びV-V線に沿った集合導体製造装置３０を構成する各ロールの断面図である。また、図６は、集合導体製造装置３０を構成する溶剤塗布装置２１の塗布ロール１２ａ及びその周壁に供給されるエタノール６の循環系を示す斜視図であり、図７は、塗布ロール１２ａ並びにその周壁に当接する集合線５及びスクレーパ２０を示す側面図である。
【００４３】
集合導体製造装置３０は、図２に示すように、集合導体１０を連続して製造するものであり、集合導体１０を構成する集合線５の進行方向に沿って順に設けられた第１矯正装置１１、溶剤塗布装置２１、加熱装置２２及び第２矯正装置２３を備えている。
【００４４】
第１矯正装置１１は、図２及び図３に示すように、集合線５を整列状態に矯正しながら溶剤塗布装置２１に送り出すために、集合線５を挟み込んで集合線５の進行方向に対して順方向に回転する円柱状（円筒状）の一対の矯正ロール１１ａ及び１１ｂを備えている。
【００４５】
矯正ロール１１ａの周壁には、図３に示すように、集合線５の右側面、左側面及び下側面（底面）に壁面が当接して、集合線５を収容するための溝条が回転方向に沿って延びるように形成されている。
【００４６】
なお、本実施形態では、第１矯正装置１１として、一対の矯正ロール１１ａ及び１１ｂを例示したが、集合線５を貫通させるための矩形状の貫通孔が形成されたダイスなどを用いてもよい。
【００４７】
溶剤塗布装置２１は、図２、図４、図６及び図７に示すように、集合線５の進行方向に対して逆方向に回転すると共にその周壁が集合線５の下側面（底面）に当接することにより集合線５の底面に溶剤６を塗布するための円柱状（円筒状）の塗布ロール１２ａと、集合線５の進行方向に対して順方向に回転すると共にその周壁が集合線５の上側面に当接する円柱状（円筒状）の送りロール１２ｂと、塗布ロール１２ａの下部を収容すると共に塗布ロール１２ａの周壁に供給する溶剤６を貯留するための塗布槽１３と、塗布槽１３に貯留された溶剤６のオーバーフロー分をオーバーフロー配管１７を介して貯留すると共に塗布槽１３から抜き取り配管１８及びバルブ１９を介して抜き取った溶剤６を貯留するための溶剤タンク１４と、溶剤タンク１４に貯留された溶剤６を供給配管１６を介して塗布槽１３に供給するための循環ポンプ１５と、塗布槽１３に貯留された溶剤６の中において塗布ロール１２ａの周壁に先端を当接させることにより塗布ロール１２ａに付着した接着剤３ａを除去するためのスクレーパ２０とを備えている。
【００４８】
塗布槽１３、溶剤タンク１４、循環ポンプ１５、供給配管１６及びオーバーフロー配管１７は、図６に示すように、塗布ロール１２ａの周壁に供給する溶剤６を循環するための循環系を構成している。
【００４９】
スクレーパ２０は、図７に示すように、塗布ロール１２ａの周壁を傷付けないように、樹脂により形成され、その先端をてこの原理やスプリングにより塗布ロール１２ａの周壁に一定の力で押し付けるように構成されている。
【００５０】
なお、本実施形態では、集合線５の底面に溶剤６を塗布する手段として、塗布ロール１２ａを例示したが、溶剤６を含浸させたフェルト状の溶剤含浸フェルトなどを用いてもよい。
【００５１】
加熱装置２２は、溶剤塗布装置２１で集合線５に塗布された溶剤６を蒸発させるためのヒーター（不図示）を備えている。
【００５２】
第２矯正装置２３は、図２及び図３に示すように、集合線５により構成された集合導体１０を整列状態に矯正するために、集合導体１０を挟み込んで集合導体１０の進行方向に対して順方向に回転する円柱状（円筒状）の一対の矯正ロール２３ａ及び２３ｂを備えている。
【００５３】
矯正ロール２３ａの周壁には、図５に示すように、集合導体１０の右側面、左側面及び下側面（底面）に壁面が当接して、集合導体１０を収容するための溝条が回転方向に沿って延びるように形成されている。
【００５４】
なお、本実施形態では、第２矯正装置２３として、一対の矯正ロール２３ａ及び２３ｂを例示したが、集合導体１０を貫通させるための矩形状の貫通孔が形成されたダイスなどを用いてもよい。
【００５５】
次に、上記構成の集合導体製造装置３０を用いて、集合導体１０を製造する方法について説明する。ここで、図８は、塗布ロール１２ａの周壁に当接する集合線５を示す断面図である。なお、本実施形態の製造方法は、集合線形成工程、溶剤塗布工程、加熱工程及び矯正工程を備える。
【００５６】
＜集合線形成工程＞
複数（例えば、４本）の導体線４を第１矯正装置１１における一対の矯正ロール１１ａ及び１１ｂの間の溝条により形成された空間に挿入して、複数の導体線４を同一平面状に無撚り状態で互いに平行に延びるように密に整列させることにより、集合線５を形成する。ここで、集合線５を構成する隣り合う導体線４の隙間は、毛細管現象により溶剤６が吸い上がるようになっている。
【００５７】
＜溶剤塗布工程＞
第１矯正装置１１から搬出された集合線５を溶剤塗布装置２１における塗布ロール１２ａ及び送りロール１２ｂの間に挿入することにより、図７に示すように、集合線５の底面に、例えば、エタノールなどの溶剤６を塗布する。ここで、塗布ロール１２ａは、図７に示すように、集合線５の進行方向に対して逆方向に回転するので、塗布ロール１２ａの周壁に供給された溶剤６が塗布ロール１２ａの周壁と集合線５の底面との間の領域に適度に溜まることになる。また、溶剤塗布装置２１は、集合線５の底面に適正な量の溶剤６が供給されるように、集合線５の進行速度に合わせて、塗布ロール１２ａの回転速度が変更可能に設けられている。これにより、進行する集合線５の底面に溶剤６が安定して供給されるので、隣り合う導体線４同士の隙間に溶剤６が毛細管現象により供給され、各導体線５の側面のうち、隣り合う導体線４に当接する側面において、接着層３の表面が、安定して粘着性を有することになる。なお、本実施形態では、溶剤６として、エタノールを例示したが、メタノールやイソプロピルアルコールなどを用いてもよい。
【００５８】
＜加熱工程＞
溶剤塗布装置２１から搬出された集合線５を加熱装置２１に搬入して、集合線５を２００℃程度に加熱することにより、溶剤６を蒸発させる。
【００５９】
＜矯正工程＞
加熱装置２１から搬出された集合導体１０を第２矯正装置２３における一対の矯正ロール２３ａ及び２３ｂの間の溝条により形成された空間に挿入して、集合導体１０の形状を保持させることにより、集合導体１０を構成する各導体線４のばらけを抑制する。
【００６０】
以上のようにして、集合導体１０を製造することができる。
【００６１】
以上説明したように、本実施形態の集合導体１０の製造装置及び製造方法によれば、集合線５を構成する各導体線４が矩形状の横断面を有し、各導体線４の側面に溶剤６に可溶な接着層３が形成されている。そして、集合線形成工程において、それらの複数の導体線４を同一平面上に無撚り状態で互いに平行に密に整列させた集合線５を形成した後に、溶剤塗布工程において、集合線５の底面に対して溶剤６が塗布されるので、隣り合う導体線４同士の隙間に溶剤６が毛細管現象により供給される。そのため、各導体線４の側面のうち、隣り合う導体線４に当接する側面において、接着層３の表面が溶解して、粘着性を有するようになるので、集合線５を構成する各導体線４の接着層３が連結して、さらに、加熱によって溶剤６を蒸発させることにより、隣り合う導体線４同士を互いに接着することができる。これにより、複数の導体線４を整列させた集合線５の底面に溶剤６を塗布するだけで、隣り合う導体線４同士を同時に互いに接着することができるので、各々矩形状の横断面を有する複数の導体線４を安定して接着することができる。
【００６２】
また、本実施形態の集合導体１０の製造装置によれば、溶剤塗布装置２１が集合線５の進行方向に対して逆方向に回転すると共に、集合線５の底面に周壁が溶剤６を介して当接する塗布ロール１２ａを備えているので、塗布ロール１２ａの周壁に供給された溶剤６が塗布ロール１２ａの周壁と集合線５の底面との間の領域に適度に溜まることになる。これにより、進行する集合線５の底面に溶剤６が安定して供給されるので、各導体線４の側面のうち、隣り合う導体線４に当接する側面において、接着層３の表面が、安定して粘着性を有することになり、複数の導体線４を安定して接着することができる。また、集合線５の送り速度が高速（例えば、５０ｍ／ｍｉｎ以上）になっても、溶剤６が飛び散り難いので、装置の小型化を実現することができるだけでなく、より高速（例えば、２００ｍ／ｍｉｎ以上）での製造を実現することもできる。これに対して、集合線の進行方向に対して順方向に回転する塗布ロールでは、溶剤が飛び散り易いので、高速での製造が困難である。さらに、塗布ロール１２ａが集合線５の進行方向に対して逆方向に回転するので、集合線５の側面を摩耗させるおそれがあるものの、溶剤６が潤滑剤として働くので、製造時における集合線５の側面の摩耗も抑制することができる。
【００６３】
また、本実施形態の集合導体１０の製造装置によれば、溶剤塗布装置２１の上流側に、集合線５を整列状態に矯正するための第１矯正装置１１を備えているので、溶剤塗布装置２１に搬入する集合線５のばらけやねじれを抑制することができる。
【００６４】
また、本実施形態の集合導体１０の製造装置及び製造方法によれば、溶剤塗布装置２１の下流側に、集合線５（集合導体１０）を整列状態に矯正するための第２矯正装置２３を備えているので、溶剤塗布装置２１から搬出された集合線５（加熱装置２２から搬出された集合導体１０）のばらけやねじれを抑制することができる。
【００６５】
また、本実施形態の集合導体１０の製造装置によれば、溶剤塗布装置２１が溶剤６を循環させるための循環系を備えているので、塗布ロール１２ａの周壁に供給する溶剤６の状態を安定化させることができる。
【００６６】
また、本実施形態の集合導体１０の製造装置によれば、溶剤塗布装置２１が塗布ロール１２ａに付着した接着剤３ａを除去するためのスクレーパ２０を備えているので、塗布ロール１２ａの周壁の状態を良好に保つことができる。
【００６７】
また、本実施形態の集合導体１０の製造方法によれば、矩形状の横断面を有する導体素線１とディップ塗装により形成された接着層３との間に、電着塗装により形成された絶縁層２が設けられているので、集合導体１０を構成する各導体線４の間の絶縁性を保持することができる。また、絶縁層２が電着塗装により形成されているので、電着塗装する際の印加電圧を調整するだけで、絶縁層２を、例えば、０．５μｍ〜１．５μｍ程度に薄く均一に形成することができ、絶縁層２の形成による集合導体１０における導体占積率の低下を抑制することができる。
【００６８】
また、本実施形態の集合導体１０の製造方法によれば、溶剤６が揮発性を有するアルコールであるので、集合線５に塗布した溶剤６を容易に蒸発させることができる。
【００６９】
なお、本実施形態では、各々、導体素線１と接着層３との間に絶縁層２が設けられた複数の導体線４を備えた集合導体１０を例示したが、本発明は、各導体線４における絶縁層２を省略してもよく、さらに、その絶縁層を省略した集合導体の側面に、ディップ塗装、テープ巻き、又は、樹脂の押出成形などにより絶縁層を形成してもよい。そして、これによれば、集合導体における導体占積率を向上させることができる。
【産業上の利用可能性】
【００７０】
以上説明したように、本発明は、各々矩形状の横断面を有する複数の導体線を安定して接着することができるので、モーター用途のマグネットワイヤについて有用である。
【図面の簡単な説明】
【００７１】
【図１】本実施形態に係る集合導体１０の横断面図である。
【図２】集合導体１０を製造するための集合導体製造装置３０の側面図である。
【図３】図２中のIII-III線に沿った集合導体製造装置３０を構成する一対の矯正ロール１１ａ及び１１ｂの断面図である。
【図４】図２中のIV-IV線に沿った集合導体製造装置３０を構成する塗布ロール１２ａ及び送りロール１２ｂの断面図である。
【図５】図２中のV-V線に沿った集合導体製造装置３０を構成する一対の矯正ロール２３ａ及び２３ｂの断面図である。
【図６】塗布ロール１２ａ及びその周壁に供給されるエタノール６の循環系を示す斜視図である。
【図７】塗布ロール１２ａ並びにその周壁に当接する集合線５及びスクレーパ２０を示す側面図である。
【図８】塗布ロール１２ａの周壁に当接する集合線５を示す断面図である。
【符号の説明】
【００７２】
１        導体素線
２        絶縁層
３        接着層
３ａ      接着剤
４        導体線
５        集合線
６        溶剤
１０      集合導体
１１      第１矯正装置
１２ａ    塗布ロール
１３      塗布槽（循環系）
１４      溶剤タンク（循環系）
１５      循環ポンプ（循環系）
１６      供給配管（循環系）
１７      オーバーフロー配管（循環系）
２０      スクレーパ
２１      溶剤塗布装置
２３      第２矯正装置
３０      集合導体製造装置
【図１】
2010192297.tif 000003
【図２】
2010192297.tif 000004
【図３】
2010192297.tif 000005
【図４】
2010192297.tif 000006
【図５】
2010192297.tif 000007
【図６】
2010192297.tif 000008
【図７】
2010192297.tif 000009
【図８】
2010192297.tif 000010